(57)【要約】【課題】優雅な印象を与えることが可能な装身具を提供すること。【解決手段】装飾体（５）の固定される石座（４）が台座（２）に対して揺動可能に支持される装身具（１）であって、台座は、石座が連結される台座側連結部（３１）と、石座の後面（４４）に当接される台座側当接部（２６）とを前面（２５）に備え、石座は、台座側連結部を支点として石座が振り子状に揺動されるように台座側連結部と連結される石座側連結部（４３）と、揺動の際に台座側当接部と当接されて石座を回動させる石座側当接部（４５）とを後面に備えた構成とした。【選択図】図１
2013179955.tif 000002
【特許請求の範囲】
【請求項１】
装飾体の固定される石座が台座に対して揺動可能に支持される装身具であって、
前記台座は、前記石座が連結される台座側連結部と、前記石座の後面に当接される台座側当接部とを前面に備え、
前記石座は、前記台座側連結部を支点として前記石座が振り子状に揺動されるように前記台座側連結部と連結される石座側連結部と、前記揺動の際に前記台座側当接部と当接されて前記石座を回動させる石座側当接部とを後面に備えたことを特徴とする装身具。
【請求項２】
前記石座と前記台座とは、前記石座側当接部と前記台座側当接部とが互いに押圧し合うように連結されていることを特徴とする請求項１に記載の装身具。
【請求項３】
前記石座の後面の曲率半径は、前記石座の後面から前記石座に固定される前記装飾体の前面までの距離より小さいことを特徴とする請求項１又は請求項２に記載の装身具。
【請求項４】
前記台座側連結部は、前記台座に対して回動可能に設けられたことを特徴とする請求項１から請求項３のいずれかに記載の装身具。
【発明の詳細な説明】
【技術分野】
【０００１】
本発明は、ペンダントや指輪などの装身具に関し、特に、宝石などの装飾体が揺動可能に支持された装身具に関する。
【背景技術】
【０００２】
従来より、宝石などの装飾体の存在感を増すために、装飾体を揺動可能に支持させた装身具が知られている（例えば、特許文献１参照）。特許文献１に記載のペンダントは、ネックレス用チェーンと、ネックレス用チェーンに連結される台座と、台座に支持される装飾体とを備えている。装飾体は、台座の前方の支持部において吊り下げられており、被装着者の動きに応じて揺動される。装飾体が揺動されることで、装飾体からの反射光の向きは変化されて装身具の存在感は増大する。
【先行技術文献】
【特許文献】
【０００３】
【特許文献１】特開２００５−２０５２３０号公報
【発明の概要】
【発明が解決しようとする課題】
【０００４】
上述のペンダントは支持部で吊り下げられているため、装飾体は被装着者の動きに応じて細かく揺動される。ところが、装飾体が細かく揺動されて反射光が小刻みに変化されると、装飾体を観察する者に対して優雅な印象を与えることができない。
【０００５】
本発明はかかる点に鑑みてなされたものであり、優雅な印象を与えることが可能な装身具を提供することを目的とする。
【課題を解決するための手段】
【０００６】
本発明の装身具は、装飾体の固定される石座が台座に対して揺動可能に支持される装身具であって、前記台座は、前記石座が連結される台座側連結部と、前記石座の後面に当接される台座側当接部とを前面に備え、前記石座は、前記台座側連結部を支点として前記石座が振り子状に揺動されるように前記台座側連結部と連結される石座側連結部と、前記揺動の際に前記台座側当接部と当接されて前記石座を回動させる石座側当接部とを後面に備えたことを特徴とする。
【０００７】
この構成によれば、石座側連結部と台座側連結部とが連結され、石座側当接部と台座側当接部とが当接されているため、石座は、台座側連結部を支点として振り子状に揺動されると共に、台座側連結部から延びる回動軸の周りに回動される。その結果、石座は、台座の前面を転がるようにゆっくりと揺動されるので、反射光の小刻みな変化を抑制し、優雅な印象を与えることができる。
【０００８】
本発明の装身具において、前記石座と前記台座とは、前記石座側当接部と前記台座側当接部とが互いに押圧し合うように連結されていることが好ましい。この構成によれば、石座側当接部と台座側当接部とが互いに押圧し合うため、揺動の際に石座側当接部と台座側当接部とを当接させて、石座をゆっくりと確実に回動させることができる。
【０００９】
本発明の装身具において、前記石座の後面の曲率半径は、前記石座の後面から前記石座に固定される前記装飾体の前面までの距離より小さいことが好ましい。この構成によれば、石座の後面の曲率半径を十分に小さくしているので、揺動時における石座側当接部又は台座側当接部と、石座の重心との位置関係の変動を抑制して石座の回動方向に付与される力を小さくできる。その結果、石座の転がり速さを低く抑えることができる。
【００１０】
本発明の装身具において、前記台座側連結部は、前記台座に対して回動可能に設けられることが好ましい。この構成によれば、台座側連結部が回動可能に設けられているため、石座が振り子状に揺動される際の揺動角度を広く確保できる。
【発明の効果】
【００１１】
本発明によれば、優雅な印象を与えることが可能な装身具を提供できる。
【図面の簡単な説明】
【００１２】
【図１】図１Ａは、実施の形態１に係るペンダントの構成を示す正面図であり、図１Ｂは、実施の形態１に係るペンダントの構成を示す部分断面図である。
【図２】石座が揺動及び回動される様子を示す模式図である。
【図３】石座の後面の形状と、回動方向に付与される力との関係を示す模式図である。
【図４】図４Ａは、実施の形態２に係るペンダントの構成を示す正面図であり、図４Ｂは、実施の形態２に係るペンダントの構成を示す部分断面図である。
【図５】図５Ａは、実施の形態３に係るペンダントの構成を示す正面図であり、図５Ｂは、実施の形態３に係るペンダントの構成を示す部分断面図である。
【図６】図６Ａは、実施の形態４に係る指輪の構成を示す正面図であり、図６Ｂは、実施の形態４に係る指輪の構成を示す部分断面図である。
【発明を実施するための形態】
【００１３】
本発明者は、宝石などの装飾体が揺動可能に支持された装身具において、装飾体の揺動の仕方によっては見る者に対して優雅な印象を与えることができない点に着目した。この問題は、装飾体が細かく揺動されて反射光が小刻みに変化されることに起因するものである。つまり、装飾体をゆっくりと揺動させることができれば、この問題は解消される。これら知見に基づき、本発明者は、台座と石座との連結部から離れた位置で台座と石座とを当接させることで、台座の表面をゆっくり転がるように石座を揺動させることができることを見出し、本発明を完成させた。以下、本発明の実施の形態について添付図面を参照して詳細に説明する。
【００１４】
（実施の形態１）
図１は、本実施の形態に係るペンダント（装身具）の構成例を示す図である。図１Ａは、ペンダントの正面を示す正面図であり、図１Ｂは、ペンダントの一部の断面を示す部分断面図である。なお、図１Ｂにおいては、図１ＡのＡ−Ａ矢視断面を示している。図１Ａにおいて、ペンダントの左右をそれぞれ矢印Ｌ，Ｒで示し、図１Ｂにおいて、ペンダントの前方を矢印Ｆで示す。
【００１５】
図１に示すように、本実施の形態に係るペンダント（装身具）１は、金、銀、プラチナなどの貴金属や、真鍮などの金属で形成された円柱状の台座２を備えている。台座２の上部には、連結リング２１が設けられており、この連結リング２１には、ネックレス用チェーン（不図示）の挿通されるチェーン連結リング２２が連結されている。台座２の中央には、円柱状の台座２の中心軸を前後に貫通するように開口部２３が形成されており、開口部２３の内側には内向きに突出する係合凸部２４が設けられている。係合凸部２４は、環状の正面形状を有している。
【００１６】
台座２の開口部２３内には、前後に延びる回動部３が設けられている。回動部３は、前方に連結リング（台座側連結部）３１を備え、後方に抜け止め部３２を備えている。また、回動部３は、連結リング３１と抜け止め部３２とで前後を挟まれるように設けられた係合凹部３３を備えている。係合凹部３３は、台座２の係合凸部２４に対応する形状を有している。この係合凹部３３と係合凸部２４とが係合されることで、回動部３は台座２において回動可能に支持される。回動軸３は、連結リング３１と抜け止め部３２とで前後に抜け止めされている。
【００１７】
連結リング３１には、台座２と同様の材質で形成された石座４が連結されている。石座４は、中空の球状体を略二分割した略半球状に構成されており、静止時において前斜め下方を向く開口部４１を有している。開口部４１には、ダイヤモンド、エメラルド、ルビーなどの宝石（装飾体）５が固定される。石座４において、開口部４１の周囲には、宝石５を把持するための把持部４２が設けられている。
【００１８】
石座４の略半球状の後面４４には、後斜め上方に向かって突出される連結リング（石座側連結部）４３が設けられている。この連結リング４３と回動部３の連結リング３１とが連結されることで、石座４と回動部３とは連結される。回動部３は台座２に支持されているため、回動部３を介して石座４と台座２とは連結される。また、回動部３は、台座２において回動可能に支持されているため、ペンダント１を揺動させれば、石座４は、連結リング４３と連結リング３１との連結点を支点として台座２の周方向（矢印Ｂ１で示す方向）に揺動される。
【００１９】
ペンダント１が被装着者に装着された使用状態では、石座４は自重で前斜め下方に傾斜され、台座２の前面２５の一部と石座４の後面４４の一部とは当接される。すなわち、台座２側の当接部（台座側当接部）２６と石座４側の当接部（石座側当接部）４５とは、石座４の自重により互いに押圧し合うように当接される。
【００２０】
石座４の後面４４は略半球状に構成されているため、台座２の周方向において振り子状に揺動された石座４は、当接部２６から矢印Ｂ２で示す向きの力を受けて回動軸Ｃ１の周りに回動される。ここで、回動軸Ｃ１回りに作用する力の大きさは、揺動の振幅や石座４と当接される後面４４の曲率半径などに依存する。本実施の形態では、後面４４の曲率半径は、後面４４（後面４４と台座２の前面２５との接触点）から石座４に固定される宝石５の前面５１（宝石５の最前部）までの距離より小さくなるように構成されている。また、回動軸Ｃ１は、連結リング４３と連結リング３１との連結点から、連結リング４３の延在方向に沿って前斜め下方に延びている。
【００２１】
当接部２６及び当接部４５は、石座４の揺動及び回動に応じた軌跡を描くように曲線状に構成されている。具体的には、当接部２６は、台座２の前面２５において円状（円孤状）の軌跡を描くように構成されている。また、当接部４５は、石座４の後面４４において円状（円孤状）の軌跡を描くように構成されている。
【００２２】
図２は、石座４が揺動される様子を示す模式図である。矢印Ｂ１で示すように、石座４は、連結リング４３と連結リング３１との連結点を支点として回動軸Ｃ１自体が回動されるように振り子状に揺動される。連結リング３１は回動部３により回動されるので、振り子状に揺動される際の石座４の振幅（振れ幅）は十分に広く確保される。
【００２３】
石座４が振り子状に揺動される際にも、石座４の自重で当接部２６と当接部４５とは互いに押圧し合うので（図１Ｂ参照）、当接部２６と当接部４５とは当接された状態に維持される。このため、石座４が振り子状に揺動されると、当接部２６と当接部４５との摩擦により、石座４には回動軸Ｃ１周りの回転力が発生する。その結果、矢印Ｂ２で示すように、石座４は回動軸Ｃ１周りに回動される。すなわち、石座４は、連結リング４３と連結リング３１との連結点を中心として公転されると共に（矢印Ｂ１）、台座２の前面２５を転がるように回動軸Ｃ１の周りに自転される（矢印Ｂ２）。
【００２４】
図３は、石座４の後面４４の形状と、回動方向に付与される力との関係を示す模式図である。図３では、台座２の前面２５に垂直な平面内において台座２と石座４とが当接される様子を模式的に示している。図３Ａ及び図３Ｂは、後面４４の曲率半径が、石座４の後面４４から石座４に固定される宝石５の前面５１までの距離Ｄ１より大きい場合を例示しており、図３Ｃ及び図３Ｄは、後面４４の曲率半径が、石座４の後面４４から石座４に固定される宝石５の前面５１までの距離Ｄ１より小さい場合を例示している。
【００２５】
図３Ａ及び図３Ｂにおいて模式的に示すように、石座４の後面４４の曲率半径が大きい場合には、石座４が揺動されて図３Ａに示す状態から図３Ｂに示す状態に変位されると、当接部４５（当接部２６）と重心Ｇ１との位置関係の変動は大きくなる。このため、図３Ｂに示す状態から図３Ａに示す状態に戻そうとする力Ｆ１は大きくなる。つまり、石座４の回動方向に付与される力は大きくなり、石座４の転がり速さは高くなる。
【００２６】
一方、図３Ｃ及び図３Ｄにおいて模式的に示すように、石座４の後面４４の曲率半径が十分に小さい場合には、石座４が揺動されて図３Ｃに示す状態から図３Ｄに示す状態に変位しても、当接部４５（当接部２６）と重心Ｇ１との位置関係の変動は小さくなる。このため、図３Ｃに示す状態に戻そうとする力Ｆ１も小さくなる。つまり、石座４の回動方向に付与される力を小さくできるので、石座４の転がり速さを低く抑えることができる。本実施の形態においても、石座４の後面４４の曲率半径は石座４の後面４４から石座４に固定される宝石５の前面５１までの距離より小さいので、石座４の転がり速さを低く抑えることができる。
【００２７】
このように、本実施の形態に係るペンダント（装身具）１は、連結リング（石座側連結部）４３と連結リング（台座側連結部）３１とが連結され、当接部（石座側当接部）４５と当接部（台座側当接部）２６とが当接されているため、石座４は、連結リング３１（又は連結リング４３）を支点として振り子状に揺動されると共に、連結リング３１（又は連結リング４３）から延びる回動軸Ｃ１の周りに回動される。その結果、石座４は、台座２の前面２５を転がるようにゆっくりと揺動されるので、反射光の小刻みな変化を抑制し、優雅な印象を与えることができる。
【００２８】
また、本実施の形態に係るペンダント１は、当接部４５と当接部２６とが互いに押圧し合うため、揺動の際に当接部４５と当接部２６とを当接させて、石座４をゆっくりと確実に回動させることができる。また、石座４の後面４４の曲率半径を十分に小さくしているので、当接部４５又は当接部２６と、石座４の重心Ｇ１との位置関係の変動を抑制して石座４の回動方向に付与される力を小さくできる。その結果、石座４の転がり速さを低く抑えることができる。また、連結リング３１は回動可能に設けられているため、石座４が振り子状に揺動される際の揺動角度を広く確保できる。
【００２９】
本実施の形態の構成は、他の実施の形態において示す構成と適宜組み合わせて実施できる。
【００３０】
（実施の形態２）
本実施の形態では、実施の形態１とは異なる態様の装身具について説明する。図４は、本実施の形態に係るペンダント（装身具）１ａの構成例を示す図である。図４Ａは、ペンダント１ａの正面を示す正面図であり、図４Ｂは、ペンダント１ａの一部の断面を示す部分断面図である。本実施の形態において、実施の形態１と共通する構成については共通する符号を付して詳細な説明を省略する。
【００３１】
図４に示すように、本実施の形態の石座４ａの構成は、実施の形態１に係る石座４の構成とは異なっている。具体的には、実施の形態１では、開口部４１の中心を通る軸線上に連結リング４３が設けられて回動軸Ｃ１が構成されているのに対し、本実施の形態では、連結リング４３ａは開口部４１の中心を通る軸線上に設けられていない。本実施の形態の連結リング４３ａは、開口部４１の中心を通る軸線に対して傾斜するように設けられている。このため、回動軸Ｃ１も、開口部４１の中心を通る軸線に対して傾斜されている。
【００３２】
連結リング４３ａをこのように構成することで、石座４ａは、開口部４１が正面を向くように回動部３に支持される。その結果、開口部４１に固定される宝石（装飾体）５も正面を向く。これにより、美しく見える角度で宝石５を固定させることができる。本実施の形態の構成は、他の実施の形態において示す構成と適宜組み合わせて実施できる。
【００３３】
（実施の形態３）
本実施の形態では、上記実施の形態とは異なる態様の装身具について説明する。図５は、本実施の形態に係るペンダント（装身具）１ｂの構成例を示す図である。図５Ａは、ペンダント１ｂの正面を示す正面図であり、図５Ｂは、ペンダント１ｂの一部の断面を示す部分断面図である。本実施の形態において、実施の形態１と共通する構成については共通する符号を付して詳細な説明を省略する。
【００３４】
図５に示すように、本実施の形態の台座２ｂ及び石座４ｂの構成は、実施の形態１に係る台座２及び石座４の構成とは異なっている。具体的には、実施の形態１では、台座２は円柱状の概略形状を有しているのに対し、本実施の形態の台座２ｂは、実施の形態１の円柱状の台座２の一部を切り出したような形状を有している。また、石座４と連結される連結リング（台座側連結部）３１ｂは、台座２ｂの凹部２３ｂの底に固定されている。つまり、本実施の形態の台座２ｂは、上部に連結リング２１及びチェーン連結リング２２が連結され、中央に凹部２３ｂ及び連結リング３１ｂが設けられている。
【００３５】
さらに、実施の形態１の石座４は、開口部４１の中心を通る軸線上に連結リング４３が設けられて回動軸Ｃ１が構成されているのに対し、本実施の形態の石座４ｂでは、連結リング（石座側連結部）４３ｂは開口部４１の中心を通る軸線上に設けられていない。本実施の形態の連結リング４３ｂは、開口部４１の中心を通る軸線に対して傾斜するように設けられている。このため、回動軸Ｃ１も、開口部４１の中心を通る軸線に対して傾斜されている。
【００３６】
本実施の形態の台座２ｂでは、石座４ｂが振り子状に揺動される際の揺動角度は所定範囲に制限されるが、回動部３を設ける必要がないため、構成は簡略化されて製造コストが抑制される。また、石座４ｂの揺動角度に対応するように当接部（台座側当接部）２６ｂが形成されれば良いので、台座２ｂの前面２５ｂの面積を小さくして台座部２ｂをコンパクト化できる。その結果、台座部２ｂに対し石座４ｂ及び宝石（装飾体）５の存在感を相対的に増大させることができる。
【００３７】
また、本実施の形態の石座４ｂでは、連結リング４３ｂを上述のような構成にしているため、石座４ｂは、開口部４１が正面を向くように台座２ｂに支持される。その結果、開口部４１に固定される宝石５も正面を向く。これにより、美しく見える角度で宝石５を固定させることができる。本実施の形態の構成は、他の実施の形態において示す構成と適宜組み合わせて実施できる。
【００３８】
（実施の形態４）
本実施の形態では、上記実施の形態とは異なる態様の装身具について説明する。図６は、本実施の形態に係る指輪（装身具）１ｃの構成例を示す図である。図６Ａは、指輪１ｃの正面を示す正面図であり、図６Ｂは、指輪１ｃの一部の断面を示す部分断面図である。本実施の形態において、実施の形態１と共通する構成については共通する符号を付して詳細な説明を省略する。
【００３９】
図６に示すように、本実施の形態の指輪１ｃの基本的な構成は、実施の形態１に係るペンダント１の構成と共通している。すなわち、指輪１ｃは、円柱状の台座２と、台座２の開口部２３内に設けられて前後に延びる回動部３と、回動部３の連結リング（台座側連結部）３１に連結された石座４と、石座４に固定された宝石（装飾体）５とを備えている。
【００４０】
一方、本実施の形態の指輪１ｃでは、連結リング２１、及びネックレス用チェーンの挿通されるチェーン連結リング２２は設けられておらず、代わりに、台座２の裏面側は指輪本体６に固定されている。本実施の形態の指輪１ｃにおいて、石座４と台座２とは、連結リング（石座側連結部）４３と連結リング（台座側連結部）３１とで連結されているため、台座２の前面２５が上を向いた状態であっても、石座４を揺動させることができる。つまり、台座２の前面２５が上を向いた状態、又は横を向いた状態のいずれの状態においても、石座４を適切に揺動させることができる。また、石座４は、台座２の前面２５を転がるようにゆっくりと揺動されるので、反射光の小刻みな変化を抑制し、優雅な印象を与えることができる。本実施の形態の構成は、他の実施の形態において示す構成と適宜組み合わせて実施できる。
【００４１】
なお、本発明は上記実施の形態に限定されず、種々変更して実施することが可能である。例えば、上記実施の形態では、前面が平坦な台座及び後面が略半球形状の石座を用いる例を示しているが、台座及び石座の構成は上記実施の形態の記載に限定されない。台座及び石座は、少なくとも、石座側当接部と台座側当接部とが当接され、石座の揺動により石座に対して回動方向の力が発生するように構成されていれば良い。例えば、上記実施の形態では宝石の周を囲むように形成された把持部によって宝石（装飾体）を固定しているが、爪状の把持部で宝石を固定するようにしても良い。
【００４２】
また、上記実施の形態においては、装身具の例としてペンダント及び指輪を例示しているが、本発明の適用対象はこれらに限られない。本発明は、イヤリング、ブレスレット、ブローチなどの各種装身具に適用可能である。
【００４３】
また、上記実施の形態において、添付図面に図示されている大きさや形状などについては、これに限定されず、本発明の効果を発揮する範囲内で適宜変更することが可能である。その他、本発明は、その目的とする範囲を逸脱しない限りにおいて適宜変更して実施することが可能である。
【産業上の利用可能性】
【００４４】
本発明は、ペンダントや指輪などの装身具に有用である。
【符号の説明】
【００４５】
１，１ａ，１ｂ  ペンダント（装身具）
１ｃ  指輪（装身具）
２，２ｂ  台座
３  回動部
４，４ａ，４ｂ  石座
５  宝石（装飾体）
６  指輪本体
２１  連結リング
２２  チェーン連結リング
２３  開口部
２３ｂ  凹部
２４  係合凸部
２５，２５ｂ  前面
２６，２６ｂ  当接部（台座側当接部）
３１，３１ｂ  連結リング（台座側連結部）
３２  抜け止め部
３３  係合凹部
４１  開口部
４２  把持部
４３，４３ａ，４３ｂ  連結リング（石座側連結部）
４４  後面
４５  当接部（石座側当接部）
５１  前面  
Ｃ１  回動軸
Ｇ１  重心
【図１】
2013179955.tif 000003
【図２】
2013179955.tif 000004
【図３】
2013179955.tif 000005
【図４】
2013179955.tif 000006
【図５】
2013179955.tif 000007
【図６】
2013179955.tif 000008